(57)【要約】【課題】簡易な構成で、ノズル本数の変更にも自動的に対応して、所望の液圧で被洗浄物を洗浄できる洗浄器を提供する。【解決手段】被洗浄物が収容される洗浄槽２と、この洗浄槽２内の被洗浄物へ液体を噴射する洗浄ノズル３と、洗浄槽２内の下部に連接された液貯留部４と、この液貯留部４の液体を洗浄ノズル３へ供給するポンプ１２と、このポンプ１２を制御する制御手段とを備える。洗浄槽２内への洗浄ノズル３の設置本数は、変更可能とされる。ポンプ１２から洗浄ノズル３への液圧に基づき、ポンプ１２の回転数を変更する。【選択図】図１
2018192448.tif 000002
【特許請求の範囲】
【請求項１】
被洗浄物が収容される洗浄槽と、この洗浄槽内の被洗浄物へ液体を噴射する洗浄ノズルと、前記洗浄槽内の下部に連接された液貯留部と、この液貯留部の液体を前記洗浄ノズルへ供給するポンプと、このポンプを制御する制御手段とを備え、
前記洗浄槽内への前記洗浄ノズルの設置本数を変更可能とされ、
前記ポンプから前記洗浄ノズルへの液圧に基づき、前記ポンプの回転数を変更する
ことを特徴とする洗浄器。
【請求項２】
第一洗浄工程とその後に行われる第二洗浄工程とを含み、
前記第一洗浄工程では、前記液貯留部に第一設定液位まで液体を貯留した状態で、前記ポンプを第一設定回転数で運転し、
前記第二洗浄工程では、前記液貯留部に第二設定液位まで液体を貯留した状態で、前記ポンプを第二設定回転数で運転し、
前記第一洗浄工程における前記ポンプから前記洗浄ノズルへの液圧に基づき、前記第二洗浄工程における第二設定液位と第二設定回転数とを変更可能とする
ことを特徴とする請求項１に記載の洗浄器。
【請求項３】
前記液貯留部への給水手段と、前記液貯留部からの排水手段と、前記液貯留部への薬液供給手段とを備え、
前記第一洗浄工程における前記ポンプから前記洗浄ノズルへの液圧に基づき、前記第二洗浄工程における薬液供給量を変更する
ことを特徴とする請求項２に記載の洗浄器。
【請求項４】
前記洗浄ノズルへの液体を加熱するヒータを備え、
前記第二洗浄工程では、前記ヒータを作動させて、前記液体を設定温度まで加熱する
ことを特徴とする請求項２または請求項３に記載の洗浄器。
【発明の詳細な説明】
【技術分野】
【０００１】
本発明は、被洗浄物に液体を噴射して洗浄する洗浄器に関するものである。
【背景技術】
【０００２】
従来、下記特許文献１に開示されるように、噴射式の洗浄器が知られている。当該文献の図１に基づき説明すると、洗浄器は、被洗浄物が収容される洗浄槽（２）と、この洗浄槽内の被洗浄物へ液体を噴射する洗浄ノズル（３）と、洗浄槽内の下部に連接された液貯留部（４）と、液貯留部への給水手段（５）と、液貯留部からの排水手段（６）と、液貯留部の液体を洗浄ノズルへ循環供給する循環手段（８）と、前記各手段を制御する制御手段とを備える。この洗浄器では、循環手段は、液貯留部から洗浄ノズルへ供給する液体の流量を変更可能に構成され、制御手段は、前記流量の変更に応じて、給水手段による液貯留部への貯水量を変更する。
【０００３】
また、下記特許文献２に開示されるように、洗浄槽へのラックの装填個数に応じて、循環ポンプの周波数を変更することも知られている。すなわち、ラックの装填状況に応じて水を噴射する噴射孔の総面積が変動するので、ラックの装填個数に応じて、循環ポンプの周波数を変更するようにしている。
【先行技術文献】
【特許文献】
【０００４】
【特許文献１】特開２０１７−２３９８５号公報（請求項１、図１）
【特許文献２】特開平１０−１８０２１２号公報（要約）
【発明の概要】
【発明が解決しようとする課題】
【０００５】
被洗浄物の大きさなどに応じて、洗浄槽内への洗浄ノズルの設置本数を変更したい場合がある。その場合、洗浄ノズルの本数に応じて、循環ポンプの周波数（ひいては回転数）を変更するのが好ましい。
【０００６】
ところが、従来技術では、循環ポンプの周波数をスイッチで切り替えるか、ラックの装填をセンサで検知して、循環ポンプの周波数を変更している。周波数をスイッチで切り替える場合、運転前に人為的な操作が必要となる。一方、ラックの装填をセンサで検知する場合、周波数変更を自動化できるが、ラックの数だけセンサが必要となる。また、洗浄効果には液圧が重要であることを考慮すると、液圧を監視した制御が望まれる。さらに、複数種のラックがある場合（たとえば各ラックのノズル本数やノズル孔数が異なる場合）、どのラックが装填されたかにより液圧が異なるので、単にラックの装填を監視するだけでは、所期の洗浄効果を発揮できないおそれもある。
【０００７】
そこで、本発明が解決しようとする課題は、簡易な構成で、ノズル本数の変更にも自動的に対応して、所望の液圧で被洗浄物を洗浄できる洗浄器を提供することにある。
【課題を解決するための手段】
【０００８】
本発明は、前記課題を解決するためになされたもので、請求項１に記載の発明は、被洗浄物が収容される洗浄槽と、この洗浄槽内の被洗浄物へ液体を噴射する洗浄ノズルと、前記洗浄槽内の下部に連接された液貯留部と、この液貯留部の液体を前記洗浄ノズルへ供給するポンプと、このポンプを制御する制御手段とを備え、前記洗浄槽内への前記洗浄ノズルの設置本数を変更可能とされ、前記ポンプから前記洗浄ノズルへの液圧に基づき、前記ポンプの回転数を変更することを特徴とする洗浄器である。
【０００９】
請求項１に記載の発明によれば、被洗浄物の大きさなどに応じて、洗浄槽内への洗浄ノズルの設置本数を変更することができる。洗浄槽内に設置された各洗浄ノズルでは、液貯留部の液体がポンプにより供給されて噴射されるが、ポンプから洗浄ノズルへの液圧に基づきポンプの回転数を変更することで、洗浄ノズルの設置本数に関わらず、所望の液圧で液体を噴射することができる。洗浄効果に重要な液圧自体を監視して制御することで、簡易な構成で、所期の洗浄効果を確保することができる。
【００１０】
請求項２に記載の発明は、第一洗浄工程とその後に行われる第二洗浄工程とを含み、前記第一洗浄工程では、前記液貯留部に第一設定液位まで液体を貯留した状態で、前記ポンプを第一設定回転数で運転し、前記第二洗浄工程では、前記液貯留部に第二設定液位まで液体を貯留した状態で、前記ポンプを第二設定回転数で運転し、前記第一洗浄工程における前記ポンプから前記洗浄ノズルへの液圧に基づき、前記第二洗浄工程における第二設定液位と第二設定回転数とを変更可能とすることを特徴とする請求項１に記載の洗浄器である。
【００１１】
請求項２に記載の発明によれば、第一洗浄工程におけるポンプから洗浄ノズルへの液圧に基づき、第二洗浄工程における第二設定液位と第二設定回転数とを変更することができる。従って、洗浄槽内への洗浄ノズルの設置本数を予め設定しておかなくても、第一洗浄工程における液圧に基づき洗浄ノズルの設置本数を予測して、第二洗浄工程では最適な回転数でポンプを運転することができる。そして、ポンプの回転数を減らせる場合、液貯留部への液体の貯留量も減らすことができ、ランニングコストの低減を図ることができる。しかも、貯留量を減らすことで、液貯留部に対する液体の給排出の時間も短縮することができ、運転効率を高めることができる。
【００１２】
請求項３に記載の発明は、前記液貯留部への給水手段と、前記液貯留部からの排水手段と、前記液貯留部への薬液供給手段とを備え、前記第一洗浄工程における前記ポンプから前記洗浄ノズルへの液圧に基づき、前記第二洗浄工程における薬液供給量を変更することを特徴とする請求項２に記載の洗浄器である。
【００１３】
請求項３に記載の発明によれば、第一洗浄工程におけるポンプから洗浄ノズルへの液圧に基づき、第二洗浄工程における薬液供給量を変更することができる。つまり、第一洗浄工程における液圧に基づき洗浄ノズルの設置本数を予測して、第二洗浄工程における液貯留部への給水量やポンプの回転数だけでなく、液貯留部への薬液供給量も変更することができる。液貯留部への給水量を減らせる場合、薬液供給量も減らすことで、ランニングコストの低減を図ることができる。
【００１４】
さらに、請求項４に記載の発明は、前記洗浄ノズルへの液体を加熱するヒータを備え、前記第二洗浄工程では、前記ヒータを作動させて、前記液体を設定温度まで加熱することを特徴とする請求項２または請求項３に記載の洗浄器である。
【００１５】
請求項４に記載の発明によれば、第二洗浄工程では、ヒータにより液体を設定温度まで加熱するが、第一洗浄工程におけるポンプから洗浄ノズルへの液圧に基づき、第二洗浄工程における液貯留部での液体の貯留量を変更しておくことで、貯留量が少なければヒータによる加熱量を抑えて、ランニングコストの低減を図ることができる。
【発明の効果】
【００１６】
本発明の洗浄器によれば、簡易な構成で、ノズル本数の変更にも自動的に対応して、所望の液圧で被洗浄物を洗浄することができる。
【図面の簡単な説明】
【００１７】
【図１】本発明の一実施例の洗浄器を示す概略図であり、一部を断面にして示している。
【図２】図１の洗浄器の運転工程の一例を示すフローチャートである。
【発明を実施するための形態】
【００１８】
以下、本発明の具体的実施例を図面に基づいて詳細に説明する。
図１は、本発明の一実施例の洗浄器１を示す概略図であり、一部を断面にして示している。
【００１９】
本実施例の洗浄器１は、被洗浄物が収容される洗浄槽２と、この洗浄槽２内の被洗浄物へ液体を噴射する洗浄ノズル３と、洗浄槽２内の下部に連接された液貯留部４と、液貯留部４への給水手段５と、液貯留部４からの排水手段６と、液貯留部４への薬液供給手段７と、液貯留部４の液体を洗浄ノズル３へ供給する循環手段８と、洗浄ノズル３への液体を加熱する加熱手段９と、前記各手段５〜９を制御する制御手段（図示省略）とを備える。
【００２０】
被洗浄物は、特に問わないが、たとえば鉗子などの医療器具である。洗浄槽２内には、上下複数段に洗浄ノズル３が設けられるが、被洗浄物は上下の洗浄ノズル３間に配置される。この際、被洗浄物は、格子状（または網状）の棚に載せられる。また、被洗浄物は、所望によりバスケットなどに収容されていてもよい。
【００２１】
洗浄槽２は、被洗浄物が収容される中空容器である。洗浄槽２は、本実施例では略矩形の中空ボックス状である。洗浄槽２は、ドア（図示省略）により開閉可能とされる。ドアを開けることで、洗浄槽２に対し被洗浄物を出し入れすることができる。ドアは、洗浄槽２の正面に設けられるが、洗浄槽２の正面および背面の双方に設けられてもよい。
【００２２】
洗浄ノズル３は、洗浄槽２内の被洗浄物へ液体を噴射する。洗浄ノズル３は、洗浄槽２内に、上下複数段に設けられる。本実施例では、洗浄槽２の一側部に、上下複数段にアーム状の支持部材１０の基端部が保持され、各支持部材１０は、洗浄槽２の一側部から左右方向中央部（図示における左右方向）へ向けて延出する。そして、その延出先端部に、洗浄ノズル３の長手方向中央部が鉛直軸まわりに回転可能に保持される。
【００２３】
図示例では、最も上方および下方の洗浄ノズル３（以下、「上下両端部の洗浄ノズル」という）は、支持部材１０が洗浄槽２の側壁に保持され、上下両端部以外の洗浄ノズル３は、支持部材１０が配水部材１１に保持されている。具体的には、配水部材１１は、洗浄槽２内の一側部において、洗浄槽２の前後方向中央部（図示における前後方向）に配置され、上下方向へ沿って設けられる。そして、この配水部材１１に、各支持部材１０の基端部が接続されて保持され、各支持部材１０は、洗浄槽２の一側部から左右方向中央部（図示における左右方向）へ向けて、アーム状に延出して設けられる。
【００２４】
図示例では、上下両端部の洗浄ノズル３は、配水部材１１を介さずに、直接に洗浄槽２の側壁に保持されているが、場合により、上下両端部以外の洗浄ノズル３と同様に、配水部材１１に支持部材１０の基端部が保持されてもよい。逆に、上下両端部以外の洗浄ノズル３は、配水部材１１に支持部材１０の基端部が保持されているが、場合により、上下両端部の洗浄ノズル３と同様に、直接に洗浄槽２の側壁に保持されてもよい。
【００２５】
配水部材１１、支持部材１０および洗浄ノズル３は、中空部材から形成される。各支持部材１０には、後述する循環ポンプ１２からの液体が、循環配管１３（配水部材１１を含む）を介して供給される。そして、その液体は、各洗浄ノズル３に供給され、洗浄ノズル３から噴射される。そのために、洗浄ノズル３には、液体を噴射させるノズル孔（図示省略）が、複数形成されている。
【００２６】
支持部材１０内を介して洗浄ノズル３内に液体が供給されると、その液体は洗浄ノズル３のノズル孔から噴射される。この噴流により、洗浄ノズル３は、支持部材１０の端部の軸受部まわりに回転する。なお、洗浄槽２内の上端部に設けられる洗浄ノズル３は、下方へのみ液体を噴射し、洗浄槽２内の下端部に設けられる洗浄ノズル３は、上方へのみ液体を噴射し、上下両端部以外の洗浄ノズル３は、上下両方へ液体を噴射する。
【００２７】
洗浄槽２内における洗浄ノズル３の設置本数は、変更可能とされる。たとえば、配水部材１１（または洗浄槽２の側壁）に対し支持部材１０を着脱可能としておき、配水部材１１（または洗浄槽２の側壁）への支持部材１０の装着数を変更可能とする。具体的には、配水部材１１には、上下複数箇所に支持部材１０の取付部が設けられており、その取付部の内、所望箇所に支持部材１０（洗浄ノズル３付き）の基端部を着脱可能に取り付ける一方、使用しない取付部は蓋材で閉塞すればよい。
【００２８】
ところで、図１において一点鎖線で示すように、洗浄槽２に対し洗浄ラック１４を出し入れ可能としてもよい。図示例では、上下両端部に設けられる洗浄ノズル３は、洗浄槽２自体に設けられ、それ以外の洗浄ノズル３は、洗浄ラック１４に設けられている。洗浄ラック１４には、一側部に配水部材１１が設けられており、その配水部材１１に上下複数段に支持部材１０が設けられ、各支持部材１０に洗浄ノズル３が回転可能に保持されている。また、洗浄ラック１４には、各洗浄ノズル３の上部と洗浄ラック１４の下部とに、被洗浄物の載置棚が設けられている。そして、このような洗浄ラック１４として、洗浄ノズル３の数が異なる複数種の洗浄ラック１４が用意されており、その内、所望の洗浄ラック１４が選択されて、洗浄槽２内に格納される。
【００２９】
たとえば、洗浄ラック１４として、五段用、四段用および二段用の三種が用意されている。そして、五段用の洗浄ラック１４は、図示例のように、洗浄ラック１４自体には四つの洗浄ノズル３を備え、洗浄槽２内への格納状態で、被洗浄物の載置棚（図示省略）が上下五段分確保される。また、四段用の洗浄ラック１４は、洗浄ラック１４自体には三つの洗浄ノズル３を備え、洗浄槽２内への格納状態で、被洗浄物の載置棚が上下四段分確保される。さらに、二段用の洗浄ラック１４は、洗浄ラック１４自体には一つの洗浄ノズル３を備え、洗浄槽２内への格納状態で、被洗浄物の載置棚が上下二段分確保される。
【００３０】
ここでは、五段用、四段用および二段用の三種の洗浄ラック１４について説明したが、これら全てを用意する必要はないし、あるいはこれら以外の段数の洗浄ラック１４を用意してもよい。また、ここでは、上下両端部の洗浄ノズル３は、洗浄槽２自体に設置されたが、これらの内、一方または双方も、洗浄ラック１４に設置されてもよい。
【００３１】
いずれにしても、所望の段数の洗浄ラック１４を洗浄槽２内に格納すると、循環ポンプ１２からの液体が配水部材１１に供給可能に接続される。すなわち、洗浄槽２内の所定位置に洗浄ラック１４を格納すると、洗浄ラック１４側の配水部材１１に設けた流体取入口と、洗浄槽２側の循環ポンプ１２からの配管の流体吐出口とが、着脱可能に接続される。従って、その状態で、循環ポンプ１２を作動させると、配水部材１１および各支持部材１０を介して、各洗浄ノズル３から液体を噴射することができる。
【００３２】
このように、洗浄槽２内への洗浄ノズル３の設置本数の変更は、洗浄槽２の側壁や配水部材１１に対する洗浄ノズル３の着脱により行ってもよいし、洗浄槽２内に格納する洗浄ラック１４の種類を変えることにより行ってもよい。
【００３３】
洗浄槽２内の下部には、液貯留部４が連接されている。言い換えれば、洗浄槽２は、下部に液貯留部４を備える。本実施例では、洗浄槽２の下壁は、図示において左右前後両端部がそれぞれ左右方向および前後方向内側へ行くに従って下方へ傾斜する傾斜面２ａに形成されており、左右前後方向中央部は下方へ略矩形状に凹んで形成されており、この凹部を含んだ形で、洗浄槽２内の下部が液貯留部４とされる。
【００３４】
給水手段５は、給水路１５を介して、液貯留部４に水を供給する。給水路１５には、給水弁１６が設けられている。給水弁１６を開けることで、液貯留部４に給水することができる。図示例では、洗浄槽２に給水路１５を接続することで、給水は洗浄槽２を介して液貯留部４に供給されるが、液貯留部４に給水路１５を接続することで、給水は液貯留部４に直接に供給されてもよい。なお、給水手段５は、複数種の水（たとえば水道水、温水、膜濾過水など）から選択された水を供給可能に構成されてもよい。
【００３５】
排水手段６は、液貯留部４から排水路１７を介して水を排出する。排水路１７には、排水弁１８が設けられている。排水弁１８を開けることで、洗浄槽２や液貯留部４から排水することができる。
【００３６】
薬液供給手段７は、薬液タンク１９から給液路２０を介して、液貯留部４に薬液を供給する。給液路２０には、薬液ポンプ２１が設けられている。薬液ポンプ２１を作動させることで、設定量の薬液を液貯留部４に供給することができる。図示例では、液貯留部４に給液路２０を接続することで、薬液は液貯留部４に直接に供給されるが、洗浄槽２に給液路２０を接続することで、薬液は洗浄槽２を介して液貯留部４に供給されてもよい。なお、薬液供給手段７は、複数種の薬液（たとえばアルカリ性洗剤、酵素配合洗剤、潤滑防錆剤、乾燥促進剤など）から選択された薬液を供給可能に構成されてもよい。
【００３７】
循環手段８は、液貯留部４の液体を洗浄ノズル３へ循環供給する。具体的には、循環手段８は、循環配管１３と循環ポンプ１２とを備える。循環配管１３は、液貯留部４から各洗浄ノズル３の支持部材１０への配管であり、その途中に循環ポンプ１２が設けられている。循環ポンプ１２は、インバータにより、モータの駆動周波数ひいては回転数を変更可能とされる。循環ポンプ１２の回転数を変更することで、循環ポンプ１２からの吐出流量を変更することができる。
【００３８】
図示例では、循環配管１３の内、液貯留部４から循環ポンプ１２への配管は、上流側において、排水路１７と共通管路とされている。また、循環配管１３の内、循環ポンプ１２の出口側には、逆止弁２２が設けられている。循環ポンプ１２を作動させると、液貯留部４の液体を、循環配管１３および支持部材１０を介して洗浄ノズル３へ供給して、洗浄槽２内から液貯留部４へ戻すことができる。
【００３９】
加熱手段９は、本実施例では、液貯留部４に設けられたヒータ２３から構成される。ヒータ２３は、図示例では電気ヒータであるが、場合により蒸気ヒータであってもよい。電気ヒータの場合、典型的にはオンオフ制御されるが、場合により出力を調整されてもよい。一方、蒸気ヒータの場合、蒸気管内に蒸気が供給可能とされ、蒸気の凝縮水は蒸気トラップを介して外部へ排出される。そして、給蒸路に設けた給蒸弁の開閉または開度が制御される。
【００４０】
液貯留部４には、液位検出器２４が設けられる。液位検出器２４は、その構成を特に問わないが、たとえば、液貯留部４の底部に設置した圧力センサから構成される。この場合、液貯留部４や洗浄槽２内の液位に応じて、水圧が変わることを利用して液位を把握する。
【００４１】
液貯留部４には、温度センサ２５が設けられる。温度センサ２５の検出温度に基づきヒータ２３を制御することで、液貯留部４の貯留液の温度を調整することができる。
【００４２】
循環ポンプ１２から各洗浄ノズル３への配管には、圧力センサ２６が設けられる。圧力センサ２６の検出圧力に基づき、循環ポンプ１２から洗浄ノズル３への液圧を監視することができる。
【００４３】
その他、洗浄器１には、所望により、超音波振動子２７が設けられる。図示例では、洗浄槽２の下壁の左右の傾斜面２ａに、それぞれ超音波振動子２７が設けられている。超音波振動子２７は、超音波発振器に接続されて、発振を制御される。
【００４４】
制御手段は、前記各手段５〜９の他、液位検出器２４、温度センサ２５および圧力センサ２６などに接続された制御器（図示省略）である。具体的には、給水弁１６、排水弁１８、薬液ポンプ２１、循環ポンプ１２、ヒータ２３、超音波発振器、液位検出器２４、温度センサ２５および圧力センサ２６などは、制御器に接続されている。そして、制御器は、以下に述べるように、所定の手順（プログラム）に従い、洗浄槽２内の被洗浄物の洗浄を図る。
【００４５】
運転開始に先立ち、被洗浄物の大きさなどに応じて、洗浄槽２内には所望数の洗浄ノズル３が設けられると共に、被洗浄物が収容される。たとえば、所望数の洗浄ノズル３を備えた洗浄ラック１４を用いて、その棚に被洗浄物を載せた状態で、洗浄槽２内に洗浄ラック１４を格納する。そして、洗浄槽２のドアを閉め、スタートボタンを押して運転開始を指示すると、制御器は、予め設定された運転工程を順次に実行する。その際、第一洗浄工程と第二洗浄工程とを、この順に含んだ形で実行する。
【００４６】
第一洗浄工程では、液貯留部４に第一設定液位まで液体を貯留した状態で、循環ポンプ１２を第一設定回転数（言い換えれば第一設定周波数）で運転する。具体的には、液位検出器２４が第一設定液位を検出するまで、給水手段５により液貯留部４に給水する。また、所望により、第一設定濃度（言い換えれば第一設定量）になるまで薬液供給手段７により薬液を投入したり、第一設定温度になるまで加熱手段９により貯留液を加熱したりしてもよい。そして、循環ポンプ１２を第一設定回転数で運転することで、洗浄ノズル３から被洗浄物へ液体を噴射して、被洗浄物を洗浄する。第一設定時間の経過後、循環ポンプ１２を停止して、液貯留部４内の貯留液を排水手段６により排出する。
【００４７】
第一洗浄工程の実施中、制御器は、洗浄槽２内に設置された洗浄ノズル３の本数を予測判定する。すなわち、洗浄槽２内への洗浄ノズル３の設置本数は変更可能とされるので、洗浄槽２内の洗浄ノズル３の設置本数は一定ではない。洗浄ノズル３の設置本数が少なければ、その分だけ循環ポンプ１２の回転数を下げても、洗浄ノズル３からの液圧は低下しない。そこで、まずは、第一洗浄工程において、圧力センサ２６により、循環ポンプ１２から洗浄ノズル３への液圧を把握して、その液圧に基づき、洗浄ノズル３の設置本数を予測する。
【００４８】
具体的には、第一洗浄工程において、所定回転数（第一設定回転数）で循環ポンプ１２を作動させた場合、循環ポンプ１２の吐出側の液圧と、洗浄ノズル３の設置本数とには、一定の関係がある（ノズル本数が少ないほど液圧は高くなる）。従って、たとえば、予め両者の関係をテーブルなどに保持しておき、制御器は、圧力センサ２６の検出圧力に基づき、洗浄ノズル３の設置本数を判定することができる。
【００４９】
ところで、循環ポンプ１２の作動時に液貯留部４の液体が枯渇しないように、循環ポンプ１２の回転数に応じて、液貯留部４には最低限の液位以上が必要である。そして、この最低限の液位は、循環ポンプ１２の回転数が低いほど、低くすることができる。従って、洗浄槽２内への洗浄ノズル３の設置本数に応じて、後の第二洗浄工程において、循環ポンプ１２の回転数を変更しようとする場合、それに応じて液貯留部４への液体の貯留量も変更することができる。
【００５０】
なお、本実施例では、上下両端部以外の各洗浄ノズル３は、同一の構成（ノズル孔も含めて同一の形状および大きさ）とされる。また、上下両端部の洗浄ノズル３も、基本的には同一の構成であるが、上端部の洗浄ノズル３は上方へのノズル孔の設置が省略され、下端部の洗浄ノズル３は下方へのノズル孔の設置が省略されている。従って、上下両端部以外の各洗浄ノズル３を基準として、それぞれを１本とみた場合、上下両端部の各洗浄ノズルを０．５本分とみて、洗浄槽２内に設置されるノズル本数を求めるのがよい。但し、図示例のように、上下両端部の洗浄ノズル３を洗浄槽２に対し固定し、その間の洗浄ノズル３の数を洗浄ラック１４の入れ替えにより変更する場合、同一構成の洗浄ノズル３の設置本数が変わるだけとなる。そのため、循環ポンプ１２から洗浄ノズル３への液圧に基づき、容易に洗浄ノズル３の設置本数を判定することができる。
【００５１】
いずれにしても、第一洗浄工程では、洗浄槽２内に最大限に洗浄ノズル３が設置された場合を想定して、第一設定液位や第一設定回転数が設定されるのが好ましい。これにより、第一洗浄工程における洗浄不足や貯留液不足を防止することができる。また、第一洗浄工程では、後述する予備洗浄工程Ｓ１と同様に、薬液供給手段７や加熱手段９を用いず、常温水による洗浄工程であるのが好ましい。
【００５２】
第二洗浄工程では、液貯留部４に第二設定液位まで液体を貯留した状態で、循環ポンプ１２を第二設定回転数（言い換えれば第二設定周波数）で運転する。具体的には、液位検出器２４が第二設定液位を検出するまで、給水手段５により液貯留部４に給水する。また、所望により、第二設定濃度（言い換えれば第二設定量）になるまで薬液供給手段７により薬液を投入したり、第二設定温度になるまで加熱手段９により貯留液を加熱したりしてもよい。そして、循環ポンプ１２を第二設定回転数で運転することで、洗浄ノズル３から被洗浄物へ液体を噴射して、被洗浄物を洗浄する。第二設定時間の経過後、循環ポンプ１２を停止して、液貯留部４内の貯留液を排水手段６により排出する。
【００５３】
第二設定液位および第二設定回転数は、前述したとおり、第一洗浄工程における圧力センサ２６の検出圧力に基づき求められる。言い換えれば、洗浄槽２内に実際に設置された洗浄ノズル３の本数を考慮した値に設定される。そのため、洗浄ノズル３の設置本数に関わらず、所定の液圧で液体を噴射することができる。洗浄効果に重要な液圧自体を監視して制御することで、簡易な構成で、所期の洗浄効果を確保することができる。
【００５４】
第二洗浄工程では、洗浄ノズル３の設置本数が少ないほど、第二設定回転数を下げることができる。たとえば、洗浄ノズル３の設置本数と第二設定回転数（さらには第二設定液位なども）との関係をテーブルに保持しておき、制御器は、第一洗浄工程において判定した洗浄ノズル３の設置本数に基づき、第二設定回転数などを取得して、その内容で第二洗浄工程を実施すればよい。なお、洗浄ノズル３の設置本数の判定を介することなく、第一洗浄工程における循環ポンプ１２から洗浄ノズル３への液圧に基づき、直接に、第二設定回転数（さらには第二設定液位なども）を求めてもよい。
【００５５】
第二洗浄工程において、循環ポンプ１２の回転数を下げられる場合、その分だけ循環ポンプ１２の電力消費の削減を図ることができる。また、循環ポンプ１２の回転数を下げられる場合、液貯留部４への液体（水および薬液）の供給量も減らすことができ、ランニングコストの低減を図ることができる。しかも、貯留量を減らすことで、液貯留部４に対する給排水の時間も短縮することができ、運転効率を高めることができる。さらに、貯留量が少なければヒータ２３による昇温時間が短縮され、ランニングコストの低減を図ることもできる。
【００５６】
なお、第一洗浄工程と第二洗浄工程との間には、他の工程を挟んでもよいし、第一洗浄工程の前、あるいは第二洗浄工程の後にも、他の工程が存在してもよい。いずれにしても、第一洗浄工程において、洗浄ノズル３の設置本数を判定した後は、第二洗浄工程以外でも、第二洗浄工程と同様に、ノズル本数に応じた回転数で循環ポンプ１２を運転し、その回転数に応じた貯水量や給液量で運転するのが好ましい。
【００５７】
以下、本実施例の洗浄器１の運転方法について、具体的に説明する。
図２は、本実施例の洗浄器１の運転工程の一例を示すフローチャートである。
【００５８】
ここでは、洗浄器１は、予備洗浄工程Ｓ１、本洗浄工程Ｓ２および濯ぎ洗浄工程Ｓ３を順次に実行する。この際、所望により、各洗浄工程を複数回実行してもよい。たとえば、１回の予備洗浄工程Ｓ１を行った後、複数回の本洗浄工程Ｓ２として、シャワー洗浄工程と高温洗浄工程とを行い、さらに複数回の濯ぎ洗浄工程Ｓ３として、中間濯ぎ洗浄工程と最終濯ぎ洗浄工程とを行ってもよい。
【００５９】
いずれの洗浄工程も、基本的には、液貯留部４に設定液位まで水を貯留すると共に、所望により、その貯留水に設定濃度になるまで薬液（洗剤、濯ぎ剤）を投入したり、貯留液を設定温度になるまで加熱したりした後、循環ポンプ１２を設定回転数で運転する。そして、設定時間経過後、循環ポンプ１２を停止して、貯留液を外部へ排出する。但し、予備洗浄工程Ｓ１では、薬液の投入や貯留水の加熱を行わずに、常温水を循環させるのがよい。また、本洗浄工程Ｓ２を複数回行う場合、各回で、薬液の有無や種類を変えたり、加熱の有無や設定温度などを変えたりしてもよい。同様に、濯ぎ洗浄工程Ｓ３を複数回行う場合、各回で、薬液の有無や種類を変えたり、加熱の有無や設定温度などを変えたりしてもよい。
【００６０】
そして、これら洗浄工程（予備洗浄工程Ｓ１、本洗浄工程Ｓ２および濯ぎ洗浄工程Ｓ３）の内、いずれかが前記第一洗浄工程とされ、それよりも後続のいずれか一以上が前記第二洗浄工程とされる。特に、予備洗浄工程Ｓ１を第一洗浄工程とし、それより後続の前記各洗浄工程Ｓ２，Ｓ３を第二洗浄工程とするのがよい。
【００６１】
なお、予備洗浄工程Ｓ１後で濯ぎ洗浄工程Ｓ３前（たとえば本洗浄工程としてのシャワー洗浄工程と高温洗浄工程との間）には、洗浄槽２内に液体を貯留して、貯留液に被洗浄物を浸漬した状態で、超音波振動子２７を作動させる超音波洗浄工程を実施してもよい。
【００６２】
本発明の洗浄器１は、前記実施例の構成（制御を含む）に限らず適宜変更可能である。特に、被洗浄物が収容される洗浄槽２と、この洗浄槽２内の被洗浄物へ液体を噴射する洗浄ノズル３と、洗浄槽２内の下部に連接された液貯留部４と、この液貯留部４の液体を洗浄ノズル３へ供給するポンプ１２と、このポンプ１２を制御する制御手段とを備え、洗浄槽２内への洗浄ノズル３の設置本数を変更可能とされ、ポンプ１２から洗浄ノズル３への液圧に基づき、ポンプ１２の回転数を変更するのであれば、その他の構成は、適宜に変更可能である。
【００６３】
たとえば、前記実施例では、第一洗浄工程において、循環ポンプ１２から洗浄ノズル３への液圧に基づきノズル本数を予測して、後の工程（第二洗浄工程）における液貯留部４への液体の貯留量や循環ポンプ１２の回転数などを変更したが、場合により、第一洗浄工程におけるノズル本数の判定終了後、その工程（第一洗浄工程）自体で、循環ポンプ１２の回転数を変更してもよい。あるいは、第一洗浄工程中またはそれ以降の洗浄工程では、圧力センサ２６の検出圧力を設定圧力に維持するように、循環ポンプ１２をインバータ制御してもよい。
【００６４】
また、前記実施例では、洗浄槽２に対して付け替えられる各洗浄ノズル３は、同一の構成としたが、場合により、ノズル孔の個数が異なるなど、異なった洗浄ノズル３を付け替え可能としてもよい。その場合でも、循環ポンプ１２から洗浄ノズル３への液圧に基づき、循環ポンプ１２の回転数を所定に調整することで、洗浄ノズル３の構成や設置本数に関わらず、安定した洗浄を実現することができる。
【００６５】
さらに、前記実施例において、洗浄後の被洗浄物を乾燥可能に、送風機をさらに備えてもよい。この場合、洗浄後の濡れた被洗浄物は、洗浄槽２へ供給される温風により乾燥を図られる。
【符号の説明】
【００６６】
１  洗浄器
２  洗浄槽（２ａ：傾斜面）
３  洗浄ノズル
４  液貯留部
５  給水手段
６  排水手段
７  薬液供給手段
８  循環手段
９  加熱手段
１０  支持部材
１１  配水部材
１２  循環ポンプ
１３  循環配管
１４  洗浄ラック
１５  給水路
１６  給水弁
１７  排水路
１８  排水弁
１９  薬液タンク
２０  給液路
２１  薬液ポンプ
２２  逆止弁
２３  ヒータ
２４  液位検出器
２５  温度センサ
２６  圧力センサ
２７  超音波振動子
【図１】
2018192448.tif 000003
【図２】
2018192448.tif 000004